(57)【要約】      （修正有）【課題】マッサージ施療効果だけでなく、精神疲労又はストレス緩和を図ることができるマッサージ機を得る。【解決手段】被施療者に対するマッサージ動作が行われるマッサージ部（背もたれ部、座部、脚載部）を備えたマッサージ機において、少なくとも前記マッサージ動作中に音楽を流す音楽出力部１０５を備えている。音楽出力部１０５は、操作器１０に設けられており、操作電源がオンとなっていなくとも音楽を出力することができる。【選択図】      図３
2004248974.tif 000002
【特許請求の範囲】
【請求項１】
被施療者に対するマッサージ動作を行うマッサージ部を備えたマッサージ機において、
少なくとも前記マッサージ動作中に音楽を流す音楽出力部を備えていることを特徴とするマッサージ機。
【請求項２】
操作面が被施療者に対向して設置される操作部を備えたマッサージ機において、
前記操作面には、音楽を流すための音楽出力部が設けられていることを特徴とするマッサージ機。
【請求項３】
手持ち可能な手持ち式操作器を備えたマッサージ機において、
前記操作器には、音楽を流すための音楽出力部が設けられていることを特徴とするマッサージ機。
【請求項４】
マッサージ機の主電源がオンであって、かつ被施療者に対してマッサージ動作を行うための操作電源がオンとなることで、前記マッサージ部が動作可能なマッサージ機において、
前記主電源がオンであれば、前記操作電源オン・オフにかかわらず、音楽を流すことができる音楽出力部を備えていることを特徴とするマッサージ機。
【請求項５】
前記操作電源オン・オフ操作を行える操作部を備え、
前記操作部は、前記主電源がオンであれば前記操作電源をオンにしなくとも、音楽の出力開始操作を行える音楽操作手段を備えていることを特徴とする請求項４記載のマッサージ機。
【請求項６】
マッサージ機操作に伴って操作関連電子音が出力されるマッサージ機において、
音楽を流すことができる音楽出力部を備え、
前記音楽の出力中に、操作関連電子音が出力される場合には、前記音楽の消音又は音量を小さくする手段を備えていることを特徴とするマッサージ機。
【発明の詳細な説明】
【０００１】
【発明の属する技術分野】
本発明は、マッサージ機に関するものである。
【０００２】
【従来の技術及】
従来のマッサージ機としては、モータによって駆動される施療子や、膨脹収縮可能な空気袋等によって、被施療者に対しマッサージ動作を行う椅子型のマッサージ機が知られている。
また、特許文献１には、マッサージ機の操作手順を音声で誘導したりする音声表示をする操作器が記載されている。
【０００３】
【特許文献１】
特開２００２−３６９８６１号公報
【０００４】
【発明が解決しようとする課題】
ところが、従来のマッサージ機は、マッサージ部による施療効果が得られるだけであって、精神疲労やストレスの緩和を図るには十分なものではなかった。
そこで、本発明の課題は、マッサージ施療効果だけでなく、精神疲労又はストレス緩和を図ることができるマッサージ機を得ることにある。
【０００５】
【課題を解決するための手段】
一つの側面からみた本発明（以下、第１発明という）は、被施療者に対するマッサージ動作を行うマッサージ部を備えたマッサージ機において、少なくとも前記マッサージ動作中に音楽を流す音楽出力部を備えていることを特徴とする。第１発明によれば、マッサージ動作中に、音楽出力部から音楽が流れるため、マッサージ施療効果と同時に、音楽による精神疲労又はストレスの緩和を図ることができる。
【０００６】
また、他の側面からみた本発明（以下、第２発明という）は、操作面が被施療者に対向して設置される操作部の前記操作面に、音楽を流すための音楽出力部が設けられていることを特徴とする。第２発明によれば、音楽による精神疲労又はストレスの緩和効果が得られるとともに、被施療者に対向する操作面に音楽出力部が設けられているため、音楽出力部からの音楽が自然かつ効率的に、被施療者側に与えられる。
【０００７】
さらに他の側面からみた本発明（以下、第３発明という）は、手持ち可能な手持ち式操作器に、音楽を流すための音楽出力部が設けられていることを特徴とする。第３発明によれば、音楽による精神疲労又はストレスの緩和効果が得られるとともに、手持ち式操作器に音楽出力部が設けられているため、被施療者が操作器を手に持ったときに、音楽出力部からの音楽が自然かつ効率的に、被施療者側に与えられる。
【０００８】
また、さらに他の側面からみた本発明（以下、第４発明という）は、マッサージ機の主電源がオンであって、かつ被施療者に対してマッサージ動作を行うための操作電源がオンとなることで、前記マッサージ部が動作可能なマッサージ機において、前記主電源がオンであれば、前記操作電源オン・オフにかかわらず、音楽を流すことができる音楽出力部を備えていることを特徴とする。第４発明によれば、音楽による精神疲労又はストレスの緩和効果が得られるとともに、操作電源がオンになっていなくとも、すなわち、マッサージ動作中であるかマッサージ停止中であるかにかかわらず、音楽を聞くことができる。
【０００９】
ここで、第４発明における好ましい態様としての本発明（以下、第５発明という）は、前記操作電源オン・オフ操作が行える操作部を備え、前記操作部は、前記主電源がオンであれば前記操作電源をオンにしなくとも、音楽の出力開始操作を行える音楽操作手段を備えていることを特徴とする。第５発明によれば、操作部において操作電源オン操作をしなくとも、音楽の出力開始操作を行えることができ、音楽の出力開始操作が簡単になる。
【００１０】
さらに、他の側面からみた本発明（以下、第６発明という）は、マッサージ機操作に伴って操作関連電子音が出力されるマッサージ機において、音楽を流すことができる音楽出力部を備え、前記音楽の出力中に、操作関連電子音が出力される場合には、前記音楽の消音又は音量を小さくする手段を備えていることを特徴とする。第５発明によれば、音楽による精神疲労又はストレスの緩和が図れる。しかも、音楽が流れていても、操作関連電子音が出力時には、音楽は消されるか音量が小さくなるため、被施療者は、音楽によって阻害されることなく、操作関連電子音を聞き取ることができ、操作の確実性が確保される。
【００１１】
【発明の実施の形態】
以下、本発明の好ましい実施形態を図面に基づいて説明する。
図１は、マッサージ機の一例としての椅子型マッサージ機１を示している。この椅子型マッサージ機１は、椅子型に構成されたマッサージ機本体２の各所にマッサージ動作を行うマッサージ部３ａ，３ｂ，３ｃを備えており、マッサージ機本体２に着座した被施療者にマッサージを施すことができる。
【００１２】
椅子型のマッサージ機本体２は、座部５の後部に背もたれ部６を備えて被施療者が着座できるように構成され、更に座部５の前部に脚載部７を備えて被施療者の脚をマッサージできるように構成されている。
背もたれ部６は、リクライニング可能に構成されており、図１の状態から後方へ倒すことができる。また、後方に倒した状態から図１の状態になるように起こすこともできる。リクライニングのための背もたれ部６起伏は、図示しないリクライニング駆動部によって行われ、背もたれ部６を任意の角度に調整できる。
脚載部７は、上下回動自在に構成されており、図１のように下方に向いた状態から上昇回動してほぼ水平状態となり、被施療者が膝を伸ばした状態で脚を脚載部に載せることができるようになる。また、ほぼ水平状態の脚載部は、下降回動して図１の状態となることもできる。脚載部７の上下回動は、図示しない上下回動駆動部によって行われ、脚載部７を任意の角度に調整できる。
【００１３】
背もたれ部６に設けられたマッサージ部３ａは、施療子（揉み玉）３ａ−１を図示しないモータによって駆動して、叩き・揉みなどのマッサージ動作を生じさせるものであり、背もたれ部６内を図示しない昇降駆動装置によって昇降するように設けられている。
座部５及び脚載部７に設けられたマッサージ部３ｂ，３ｃは、空気の給排によって膨脹収縮する空気袋によって構成されており、被施療者の脚等に対して押圧マッサージを施す。
【００１４】
座部５の左右両側には、肘掛け部８ａ，８ｂが備わっており、一方の肘掛け部８ａには、マッサージ機１に対する各種操作を行うための操作器（操作部）１０が支持されている。操作器１０は、肘掛け部８ａに取り付けられたホルダ１１によって支持されており、ホルダ１１に対して着脱自在である。
ホルダ１１は、マッサージ機本体２（の肘掛け部８ａ，８ｂ）に取り付けられているとともに上方に延びる支持基部１１ａと、支持基部１１ａの上部に設けられた保持部１１ｂとを備えて構成されている。保持部１１ｂは、保持した操作器１０の正面側が被施療者側に向くように、操作器１０の正面側を背もたれ部６に対向させた状態で当該操作器１０を保持可能に構成されている。
【００１５】
保持部１１ｂは、操作器１０が上方から差し込まれることで当該操作器１０を保持するものであるが、図２に示すように、差し込まれた操作器１０の正面側が保持部（図２の網掛け部分）１１ｂによって覆われないように、保持部１１ｂの背もたれ部６側の面は開口している。
操作器１０は、被施療者が手に持って操作可能な手持ち式であり、操作時には、ホルダ１１から取り外して、手に持つことで操作可能である。この操作器１０は、マッサージ機１とコードによって接続されているが、コードレスであってもよい。
【００１６】
操作器１０を操作しないときには、当該操作器１０を肘掛け上方に位置するホルダ１１に支持させることができ、被施療者のすぐ手に届くところに操作器１０を保持できる。なお、操作器１０は、ホルダ１１に支持された状態でも操作可能である。
【００１７】
図３は、ホルダ１１から取り外した操作器１０の外観を示しており、操作面１００である正面部には、電源のオン・オフ操作を行うための電源ボタン１０１を備えている。また、操作面１００には、マッサージ部３ａ，３ｂ，３ｃ等を操作するためのマッサージ関連操作ボタン（背もたれ部６のリクライニング操作及び脚載部７の上下回動操作、その他マッサージに関連した動作のための操作ボタンを含む）１０２が設けられている。
【００１８】
操作面１００は、開閉部１０３によって一部開閉式とされており、当該開閉部１０３の表面には、主にマッサージコースに関連した操作ボタン１０２ａが設けられている。また、開閉部１０３を開けた状態の操作面１００ａ（操作器１０の上部を除く）を図４に示しており、この操作面１００ａには、主にマッサージ動作を手動選択するための操作ボタン１０２ｂが設けられている。
また、マッサージ関連操作ボタン１０２には、緊急時等においてマッサージ動作を全停止させるための停止ボタン１０２ｃが含まれている。この停止ボタン１０２ｃは、電源ボタン１０１の近傍に配置されている。
【００１９】
操作面１００には、表示部１０４が設けられており、操作に関連した表示又はその他必要な表示を文字・図形等によって電子的に表示可能とされている。なお、表示部１０４は、開閉部１０３でない範囲に設けられており、具体的には、開閉部１０３よりも上方の操作面上部に設けられている。
また、操作面１００には、スピーカ（音出力部；音楽出力部）１０５が設けられており、このスピーカ１０５から音楽が流れる。スピーカ１０５は、音楽を流すための音楽出力部として機能する他、ボタン１０１，１０２が操作されたときの操作音（例えば「ピッ」という音）や、操作のための音声ガイドなどの操作関連電子音を出力する操作関連電子音出力部としても機能する。なお、スピーカ１０５から音楽が流れているときは、その音楽の説明が表示部１０４に表示される。当該表示は、流れ文字とするのが好ましい。
【００２０】
スピーカ１０５は、開閉部１０３でない範囲に設けられており、具体的には、開閉部１０３よりも下方の操作面下部に設けられている。操作面１００には、音楽の出力開始・停止を行うための音楽操作ボタン１０６が設けられており、この音楽操作ボタン１０６を押すことで、音楽の出力が開始又は停止する。なお、音楽操作ボタン１０６は、スピーカ１０５の近傍に配置されている。
図２に示すように、ホルダ１１の保持部１１ｂは、操作器１０正面側の下部範囲を一部覆っているが、スピーカ１０５と音楽操作ボタン１０６は避けて形成されており、スピーカ１０５からの音の阻害防止と操作性とが確保されている。
【００２１】
図５は、操作器１０に関連した機能ブロック図であり、操作器１０は、操作に応じた処理を行う処理装置１１０及びメモリ１１１を内蔵している。操作器１０は、操作に応じてマッサージ機本体２側に設けられた本体制御部１２に対して指令を与え、当該指令を受けた本体制御部１２がマッサージ部３ａ，３ｂ，３ｃなどのマッサージ機本体２における各種動作を制御する。
【００２２】
操作器１０及びマッサージ機本体２には、マッサージ機本体２に設けられた主電源スイッチ１３（図１では図示せず）を介して、電源（家庭用交流電源等）から電力が供給されており、主電源スイッチ１３によって、主電源のオン・オフ切替が可能となっている。
操作器１０の電源ボタン１０１の操作は、主電源オンの状態で有効であり、主電源オンのときに、電源ボタン１０１を押すことで、操作電源がオンとなる。電源ボタン１０１を押して操作電源がオンになると、マッサージ関連操作ボタン１０２による操作が有効となり、操作電源がオフになると、マッサージ関連操作ボタン１０２による操作は無効となる。このように、マッサージ関連操作ボタン１０２の操作をするには、主電源がオン、かつ操作電源オンでなければならない。
【００２３】
一方、音楽操作ボタン１０６は、主電源がオンであれば、操作電源がオンでもオフでも操作が有効である。したがって、主電源がオンであれば、操作電源がオフであっても、或いは操作電源がオフであっても、音楽を流すことができる。
また、操作電源がオンであって、かつマッサージ部３ａ，３ｂ，３ｃが動作しているときにも、当然に音楽を流すことができる。さらに操作電源がオンであるがマッサージ部３ａ，３ｂ，３ｃが動作していない待機状態のときにも音楽を流すことができる。
【００２４】
マッサージ動作と同時に音楽を流す場合には、マッサージによる施療効果とともに音楽によるリラックス効果も得られる。しかも、音楽が、マッサージ部の機械部分の動作音や空気給排に伴う動作音に対するマスキングとなって、マッサージ機の動作音を、被施療者が意識しないように和らげることができる。
【００２５】
また、マッサージ動作中でないときも音楽を流すこともできるため、被施療者は、マッサージとは無関係に、椅子としてのマッサージ機本体２に着座した状態で音楽を楽しむことができる。しかも、音楽が流れることで、マッサージ機を使用していない周囲の人も音楽による効果を得ることができる。なお、周囲に音が流れないようにするために、ヘッドフォン用の端子を操作器１０に設けておき、ヘッドフォンで音楽を聞けるようにしてもよい。また、操作器１０又はマッサージ機本体２が、音の外部入出力用端子を有していれば、当該端子を利用して操作器１０と携帯電話を接続して、マッサージ機１に着座したままハンズフリーでの会話が可能となる。
【００２６】
本実施形態によれば、音楽出力部であるスピーカ１０５が、操作器１０の操作をしようとする際に被施療者と対向することになる操作面１００に設けられているため、スピーカ１０５から出力される音楽は、自然と被施療者に向かって流れるようになり、好適なスピーカ配置が得られている。しかも、スピーカ１０５が操作器１０の下部に配置されているため、背もたれ部６を後方に倒して、被施療者が横臥状態となっている場合であっても、音楽が被施療者に効率的に流れていく。なお、スピーカ１０５は、操作器１０以外の位置に配置することも可能である。
【００２７】
本実施形態においては、音楽の出力開始とマッサージ動作開始とは、連動しておらず、個別に開始させることができるが、両者を連動させてもよい。例えば、マッサージ動作を開始させるボタン１０２ａ，１０２ｂを押すと、音楽操作ボタン１０６を操作しなくとも、音楽が開始するようにしてもよい。また、音楽出力中に、マッサージ動作が開始されると、自動的に音楽が別のものに切り替わるように構成されていてもよい。
【００２８】
また、本実施形態においては、音楽の出力終了とマッサージの動作終了とは、基本的に連動しておらず、マッサージ動作が通常状態で終了（操作による終了又はタイマーによる終了）しても音楽は終了しない。ただし、緊急時等に停止ボタン１０２ｃを操作して、マッサージ動作を緊急停止させた場合には、それに合わせて、音楽も終了する。停止ボタン１０２ｃによって音楽が停止した場合、緊急停止したことを周囲知らせるために警告音などを発生させてもよい。なお、通常状態でマッサージ動作が終了した場合にも、音楽が自動的に終了してもよい。
【００２９】
マッサージ動作中に流れる音楽は、マッサージ動作の種類に応じて変化するようにしてもよく、例えば、叩き・揉みなどの施療手法に応じて音楽の種類を変えたり、マッサージのスピードの大小に応じて音楽の種類（テンポ）を変えてもよい。また、マッサージコース（施療コース）に応じて音楽の種類を変えてもよく、例えば、求心コースの場合には目覚めの音楽、遠心コースの場合には眠りの音楽というように、音楽の種類を変えることができる。特に、マッサージ（コース）の施療目的に対して相乗効果のある音楽を、当該マッサージ動作中に流すことで、施療効果を一段と高めることができ、例えば、マッサージコースが疲労回復コースである場合には、当該コース中には疲労回復に効果のある音楽を流すのが好ましい。
【００３０】
音楽は、複数の中から好みのものを選択して流すことができるようにしておいてもよく、この場合、操作器１０に音楽選択用のボタンを設けておけばよい。また、音楽を再生するだけでなく、録音できるようにしておいてもよく、この録音再生機能によって、好みの音楽等を録音し、再生させることができる。
【００３１】
図６に示すように、スピーカ１０５からの音楽出力は、タイマーによって所定時間（例えば、１５分）経過後に自動的に終了する。なお、タイマーによる終了設定時間は、任意に設定できるようにしてもよい。
音楽終了前に音楽操作ボタン１０６を操作すると、強制的に終了させることができる。なお、音楽終了後に再び音楽操作ボタン１０６を操作すると、タイマーリセットにより音楽が始めから流れ出す。
【００３２】
出力される音楽はメモリ１１１に記憶されている。複数種類の音楽が記憶されている場合には、各音楽の出力は、自動的に所定の順番で行われる。音楽出力の順番は、予め設定されていてもよく、あるいはランダムに決定されてもよい。一つの音楽の長さは、例えば４５秒であり、開始後徐々に音量が大きくなり（フェイドイン）、終了に近づくにつれて徐々に音量が小さくなる（フェイドアウト）。なお、音楽としては、鳥のさえずりや川のせせらぎ等、リラックス効果のある効果音であってもよい。
【００３３】
マッサージ機１は、出力用の音楽をダウンロード可能に構成されているのが好ましく、例えば、操作器１０又はマッサージ機本体２に、携帯電話等の端末装置との通信用接続部を設けておき、当該端末装置からネットワークを介して音楽をダウンロードしてもよい。また、持ち運び可能な記録メディアのスロットルを操作器１０又はマッサージ機本体２に設けておき、当該記録メディアに記録された音楽を再生可能としてもよい。
【００３４】
図７は、音楽出力中に、マッサージ関連ボタン１０２操作などの操作器１０に対する操作が行われて操作音（操作関連電子音）が出力されるときの処理方式を示している。操作器１０に対する操作が行われると、処理装置１１０は、割り込みをかけて音楽出力を終了させ、スピーカ１０５からの音楽が消音された状態にしておいてから、操作音をスピーカ１０５から出力させる。操作音発生後、処理装置１１０は、音楽出力を再開する。再開の際には、音楽は最初から流れるが、中断したところから継続してもよい。
【００３５】
このように、音楽が流れていない状態にしておいて、操作音を発生させることで、被施療者は、音楽に邪魔されることなく操作音を確実に聞き取ることができ、操作が確実となる。また、音声ガイド出力がなされる場合にも、同様に音楽出力を消音することで、被施療者は音声ガイドを確実に聞き取ることができる。さらに、被施療者の音声指示によって操作可能なマッサージ機の場合、音声指示を確実に行うため、音声指示受付中においても音楽出力を止めておくのが好ましい。
【００３６】
本実施形態によれば、操作関連電子音と音楽の発生が同時に起こらないため、操作関連電子音と音楽の出力部を共通化（同じスピーカ１０５を使用）することが容易となっている。
なお、操作関連電子音を確実に聞き取るという観点からは、音楽出力を、完全に止める必要はなく、音量を小さくすることで対応してもよい。
【００３７】
【発明の効果】
本発明によれば、マッサージ機において、音楽による精神疲労又はストレスの緩和が行える。
【図面の簡単な説明】
【図１】椅子型マッサージ機の斜視図である。
【図２】ホルダの保持部に保持された操作器１０の正面図である。
【図３】操作器１０の正面図である。
【図４】操作器の開閉部を開けた状態を示す正面図である。
【図５】マッサージ機の機能ブロック図である。
【図６】音楽関連操作のフローチャートである。
【図７】音楽出力中における操作音出力のための方式を示す図である。
【符号の説明】
１  マッサージ機
３ａ  マッサージ部
３ｂ  マッサージ部
３ｃ  マッサージ部
１０  操作器（手持ち式操作器；操作部）
１３  主電源スイッチ
１００  操作面
１０１  電源ボタン
１０２  マッサージ関連ボタン
１０５  スピーカ（音楽出力部）
１０６  音楽操作ボタン（音楽操作手段）
【図１】
2004248974.tif 000003
【図２】
2004248974.tif 000004
【図３】
2004248974.tif 000005
【図４】
2004248974.tif 000006
【図５】
2004248974.tif 000007
【図６】
2004248974.tif 000008
【図７】
2004248974.tif 000009